(57)【要約】【課題】再生機器の性能に関わらず、また再生時の操作負担無く、再生時にユーザー好みの音質状態で音楽コンテンツを再生できるようにする。【解決手段】記録装置の記録媒体（ＨＤＤ）には、入力されるデジタルデータ、例えばＣＤ等の可搬性記録媒体からリッピングされたデジタルデータや、外部サーバ等との通信によりダウンロードされたデジタルデータが、音量／音質的な加工が施された上で圧縮データ状態で格納されるようにする。例えばイコライジング処理、リバーブ処理、エコー処理、ノイズ付加処理等の加工が行われた音楽コンテンツがＨＤＤに格納される。【選択図】　　　　図３
2004046959.tif 000002
【特許請求の範囲】
【請求項１】
入力されるデジタルデータを圧縮データの状態で記録媒体に記録するように要求する要求手段と、
データを加工して加工データを生成する加工処理、及びデータを圧縮して圧縮データを生成する圧縮処理を実行可能とされた信号処理手段と、
データを上記記録媒体に記録する記録手段と、
上記要求手段による要求に応じて、入力されたデジタルデータについて、上記信号処理手段で加工処理を実行させ、さらに上記加工処理で得られた加工データについて圧縮処理を実行させ、上記圧縮処理で得られた圧縮データを上記記録手段により上記記録媒体に記録させる制御手段と、
を備えたことを特徴とする記録装置。
【請求項２】
上記信号処理手段は更に、圧縮データを伸長処理して非圧縮データを生成する処理が実行可能とされ、
上記制御手段は、上記要求手段による要求に応じて、入力された圧縮デジタルデータについて、上記信号処理手段で伸長処理を実行させ、上記伸長処理で得られた非圧縮データについて加工処理を実行させ、上記加工処理で得られた加工データについて圧縮処理を実行させ、上記圧縮処理で得られた圧縮データを上記記録手段により上記記録媒体に記録させる制御を行うことを特徴とする請求項１に記載の記録装置。
【請求項３】
上記制御手段は、上記要求手段による要求に応じて、入力された圧縮デジタルデータについて、上記信号処理手段で加工処理を実行させて加工データを生成させ、上記加工処理で得られた圧縮デジタルデータの加工データを、上記記録手段により上記記録媒体に記録させる制御を行うことを特徴とする請求項１に記載の記録装置。
【請求項４】
可搬性記録媒体に対して再生を行う再生手段を更に備え、
上記入力されるデジタルデータとは、上記再生手段で可搬性記録媒体から再生されたデジタルデータであることを特徴とする請求項１に記載の記録装置。
【請求項５】
通信手段を更に備え、
上記入力されるデジタルデータとは、上記通信手段によって受信したデジタルデータであることを特徴とする請求項１に記載の記録装置。
【請求項６】
上記加工処理は、オーディオデータの音量又は音質を変化させる処理であることを特徴とする請求項１に記載の記録装置。
【請求項７】
上記加工処理としてのオーディオデータの音質を変化させる処理とは、イコライジング処理、又はリバーブ処理、又はエコー処理、又はノイズ付加処理であることを特徴とする請求項６に記載の記録装置。
【請求項８】
入力されるデジタルデータを圧縮データの状態で記録媒体に記録する要求に応じて、
入力された非圧縮デジタルデータについて加工処理を実行し、
上記加工処理で得られた加工データについて圧縮処理を実行し、
上記圧縮処理で得られた圧縮データを上記記録媒体に記録することを特徴とする記録方法。
【請求項９】
入力された圧縮デジタルデータについて伸長処理を実行して得た非圧縮データについて、上記加工処理を実行することを特徴とする請求項８に記載の記録方法。
【請求項１０】
入力された圧縮デジタルデータについて、上記加工処理を実行し、上記加工処理で得られた圧縮デジタルデータの加工データを、上記記録媒体に記録することを特徴とする請求項８に記載の記録方法。
【請求項１１】
入力されるデジタルデータを圧縮データの状態で記録媒体に記録する要求に応じて、
入力された非圧縮デジタルデータについて加工処理を実行し、
上記加工処理で得られた加工データについて圧縮処理を実行し、
上記圧縮処理で得られた圧縮データを上記記録媒体に記録する処理を記録装置に実行させるプログラム。
【請求項１２】
上記プログラムは、入力された圧縮デジタルデータについて伸長処理を実行して得た非圧縮データについて、上記加工処理を実行させることを特徴とする請求項１１に記載のプログラム。
【請求項１３】
上記プログラムは、入力された圧縮デジタルデータについて、上記加工処理を実行し、上記加工処理で得られた圧縮デジタルデータの加工データを、上記記録媒体に記録する処理を実行させることを特徴とする請求項１１に記載のプログラム。
【請求項１４】
入力されるデジタルデータを圧縮データの状態で記録媒体に記録する要求に応じて、
入力された非圧縮デジタルデータについて加工処理を実行し、
上記加工処理で得られた加工データについて圧縮処理を実行し、
上記圧縮処理で得られた圧縮データを上記記録媒体に記録する処理を記録装置に実行させるプログラムを記録したプログラム記録媒体。
【請求項１５】
上記プログラムは、入力された圧縮デジタルデータについて伸長処理を実行して得た非圧縮データについて、上記加工処理を実行させることを特徴とする請求項１４に記載のプログラム記録媒体。
【請求項１６】
上記プログラムは、入力された圧縮デジタルデータについて、上記加工処理を実行し、上記加工処理で得られた圧縮デジタルデータの加工データを、上記記録媒体に記録する処理を実行させることを特徴とする請求項１４に記載のプログラム記録媒体。
【発明の詳細な説明】
【０００１】
【発明の属する技術分野】
本発明は、入力されたデジタルデータを例えば大容量の記録媒体に記録する記録装置と、この記録装置における記録方法と、該記録方法を実現するプログラムと、該プログラムが記録された記録媒体に関するものである。
【０００２】
【従来の技術】
ユーザーの所有するオーディオビジュアル機器として各種のものが普及しており、いわゆる音楽ソフトや映像ソフトを個人で楽しむことが一般化している。
例えばユーザーがＣＤ（Ｃｏｍｐａｃｔ　Ｄｉｓｃ）、ＭＤ（Ｍｉｎｉ　Ｄｉｓｃ）、ＤＶＤ（Ｄｉｇｉｔａｌ　Ｖｅｒｓａｔｉｌｅ　Ｄｉｓｃ）などのディスク記録媒体に対応するオーディオシステムなどを所有し、パッケージメディアとして販売されている所望のＣＤ、ＭＤ、ＤＶＤ等を購入してコンテンツを再生させたり、或いは記録可能なメディアに自分の好みの選曲で録音を行うなどのことが行われている。
【０００３】
また、オーディオビジュアル機器としては、例えばＨＤＤ（ハードディスク）などの大容量メディアを利用してオーディオデータファイルやビデオデータファイルを蓄積する記録再生装置が開発されている。
このような記録再生装置において、ユーザーは、例えばＣＤなどのパッケージメディアに収録されている音楽コンテンツ等を、ＨＤＤのような大容量メディアにダビング記録する、所謂リッピングを行うことができる。
また記録再生装置をインターネット等のネットワークと接続可能とし、外部サーバから音楽コンテンツをダウンロードし、ＨＤＤに格納することもできる。
このように記録再生装置内でＨＤＤのような大容量の記録媒体を用い、リッピングやダウンロード可能とすることで、例えばユーザーは所有する多数のＣＤ等における楽曲やダウンロードした楽曲などを記録再生装置内に格納し、任意に再生を楽しむことができる。
【０００４】
また、このようなＨＤＤ等を用いた記録再生装置は、いわゆるホームサーバ的にも使用できる。即ちＨＤＤに格納したコンテンツデータを転送して他の記録媒体（二次記録媒体）に記録し、その二次記録媒体側で音楽等の再生を楽しむという使用形態がある。
例えばユーザーは、当該記録再生装置に二次記録媒体の記録装置を接続して、ＨＤＤに蓄積されたコンテンツデータを二次記録媒体にコピー（複製）又はムーブ（移動）する。すると二次記録媒体に対応する再生装置で音楽等のコンテンツデータを再生させることができる。例えば二次記録媒体をＭＤやメモリカード、二次記録媒体に対応する再生装置を携帯用のＭＤプレーヤやメモリカードプレーヤなどとすれば、ユーザーはホームサーバ（上記ＨＤＤ記録再生装置）に蓄積した音楽コンテンツを外出先でも楽しむことができる。
【０００５】
ところで、例えばこのようなコンテンツデータの使用形態を考えるときは、コンテンツデータについての著作権保護を考慮しなければならない。例えばユーザーがコンテンツデータの配信サービスを利用したり、パッケージメディアの購入を行うなどして、ＨＤＤにコンテンツデータを蓄積した後、そのコンテンツデータを無制限に二次記録媒体にコピー可能とすると、著作権者の正当な保護がはかれない事態が生ずる。このためデジタルデータとしてのコンテンツデータの扱い上で著作権保護を維持できるようにする様々な技術やデータ処理上の取り決めが提案されているが、その１つにＳＤＭＩ（ＳＥＣＵＲＥ　ＤＩＧＩＴＡＬ　ＭＵＳＩＣ　ＩＮＩＴＩＡＴＩＶＥ）という規格がある。
【０００６】
ＳＤＭＩ規格によれば、ＨＤＤに格納されたコンテンツは、所定のルールのもとで二次記録媒体にコピー可能とされる。詳述は避けるが、コピーの際の機器間の認証、暗号化伝送、チェックイン／チェックアウトルールなどの条件がある。
チェックイン／チェックアウトルールについて簡単に述べておく。
一次記録媒体（ＨＤＤ）から二次記録媒体（ＭＤ、メモリカード等）に対してのコピー転送は「チェックアウト」と呼ばれる。逆に二次記録媒体からの一次記録媒体へのムーブ転送は「チェックイン」と呼ばれる。なお二次記録媒体から一次記録媒体へのムーブの場合は、二次記録媒体上では当該コンテンツデータは消去された状態となる。
ＳＤＭＩにおける転送のルールとしては、１つのコンテンツデータにつき例えば３回までのチェックアウトが許されるなど、所定のチェックアウト上限回数が定められている。従って、例えば３つの二次記録媒体まではコピーが許可される。またチェックインが行われた場合は、そのコンテンツデータについてのチェックアウト回数が減算されるものとなる。従って、例え３つの二次記録媒体にコピーした後であっても、そのうちの１つの二次記録媒体からチェックインさせれば、そのコンテンツはさらにもう一度、ＳＤＭＩ対応二次記録媒体にコピー可能とされる。つまり、常に最大３つの二次記録媒体にコンテンツデータが併存することが許されるものとなり、逆に言えば、それ以上のコンテンツ拡散は禁止されるものとなる。
【０００７】
【発明が解決しようとする課題】
ところで上記ＨＤＤ記録再生装置などの機器において、ＣＤ等からのリッピングやダウンロードを行う際には、コンテンツデータの加工は実行できない。即ち、ディスクから読み出されたデジタルデータ、或いは配信されたデジタルデータは、音質的、音量的にはそのままＨＤＤに記録される。
また、二次記録媒体へのチェックアウトの際にも、ＨＤＤに格納されたデジタルデータがそのまま転送される。つまり音質的、音量的な加工は行われないで二次記録媒体にコピーされる。
【０００８】
一方、ユーザーにとってみれば、それぞれ各人毎に好みの音質があり、再生時には好みの音質で音楽を楽しみたいという要望がある。このため通常、再生時に音質調整を行うものであるが、十分な音質調整は高機能な再生装置でないとできないという実状がある。例えば二次記録媒体側の機器を携帯型プレーヤなどとすると、通常、携帯型プレーヤには、高度な音質調整機能はないため、ユーザーは好みの音質で音楽を楽しむことができないものとなる。
【０００９】
また、各種のＣＤから再生される音楽データや、配信される音楽データは、音量レベルにバラツキがある。従ってＨＤＤにおいて、多数のＣＤからリッピングした音楽コンテンツや、配信された音楽コンテンツは、それぞれ音量レベルがばらついている状態となることが多い。
そのようなＨＤＤから任意の複数曲を選択してチェックアウトした場合、二次記録媒体での再生時に曲毎に音量レベルが変化して、聞きずらくなってしまうということも発生する。
【００１０】
【課題を解決するための手段】
本発明はこのような事情に応じて、例えば音楽コンテンツの再生時に、ユーザーが音質・音量等において望んだ状態で再生を楽しめるようにすることを目的とする。
【００１１】
本発明の記録装置は、入力されるデジタルデータを圧縮データの状態で記録媒体に記録するように要求する要求手段と、データを加工して加工データを生成する加工処理、及びデータを圧縮して圧縮データを生成する圧縮処理を実行可能とされた信号処理手段と、データを上記記録媒体に記録する記録手段と、上記要求手段による要求に応じて、入力されたデジタルデータについて、上記信号処理手段で加工処理を実行させ、さらに上記加工処理で得られた加工データについて圧縮処理を実行させ、上記圧縮処理で得られた圧縮データを上記記録手段により上記記録媒体に記録させる制御手段とを備えるようにする。
また上記信号処理手段は更に、圧縮データを伸長処理して非圧縮データを生成する処理が実行可能とされ、上記制御手段は、上記要求手段による要求に応じて、入力された圧縮デジタルデータについて、上記信号処理手段で伸長処理を実行させ、上記伸長処理で得られた非圧縮データについて加工処理を実行させ、上記加工処理で得られた加工データについて圧縮処理を実行させ、上記圧縮処理で得られた圧縮データを上記記録手段により上記記録媒体に記録させる制御を行う。また上記制御手段は、上記要求手段による要求に応じて、入力された圧縮デジタルデータについて、上記信号処理手段で加工処理を実行させて加工データを生成させ、上記加工処理で得られた圧縮デジタルデータの加工データを、上記記録手段により上記記録媒体に記録させる制御を行う。
また可搬性記録媒体に対して再生を行う再生手段を更に備え、上記入力されるデジタルデータとは、上記再生手段で可搬性記録媒体から再生されたデジタルデータであるとする。
また通信手段を更に備え、上記入力されるデジタルデータとは、上記通信手段によって受信したデジタルデータであるとする。
上記加工処理は、オーディオデータの音量又は音質を変化させる処理である。特に、上記加工処理としてのオーディオデータの音質を変化させる処理とは、イコライジング処理、又はリバーブ処理、又はエコー処理、又はノイズ付加処理である。
【００１２】
本発明の記録方法は、入力されるデジタルデータを圧縮データの状態で記録媒体に記録する要求に応じて、入力された非圧縮デジタルデータについて加工処理を実行し、上記加工処理で得られた加工データについて圧縮処理を実行し、上記圧縮処理で得られた圧縮データを上記記録媒体に記録する。
また、入力された圧縮デジタルデータについて伸長処理を実行して得た非圧縮データについて、上記加工処理を実行する。
又は入力された圧縮デジタルデータについて、上記加工処理を実行し、上記加工処理で得られた圧縮デジタルデータの加工データを、上記記録媒体に記録する。
【００１３】
本発明のプログラムは、上記各記録方法を記録装置に実行させるプログラムである。
また本発明のプログラム記録媒体は、それらのプログラムをを記録したプログラム記録媒体である。
【００１４】
以上の本発明によれば、記録装置の記録媒体（例えばＨＤＤ）には、ＣＤ等の可搬性記録媒体からリッピングされたデジタルデータや、外部サーバ等との通信によりダウンロードされたデジタルデータが圧縮データ状態で格納される。しかもその格納されたデジタルデータは、音量／音質的な加工が施されたデータとされることになる。従ってＨＤＤ等の記録媒体から読み出される音楽コンテンツ等のデジタルデータは、そのまま再生されたり、或いは二次記録媒体にコピーされて再生される際に、記録時の加工処理に応じた音量／音質状態で再生されることになる。
【００１５】
【発明の実施の形態】
以下、本発明の実施の形態を次の順序で説明する。なお、本発明の記録装置の実施の形態として、ＨＤＤを記録媒体として備えた記録再生装置を挙げる。
１．システム構成
２．記録再生装置の構成
３．記録時の処理
【００１６】
１．システム構成
図１にシステム構成例を示す。
本実施の形態の記録再生装置１は、ＨＤＤ３１を記録媒体として備え、例えば音楽コンテンツをＨＤＤ３１に格納できる機器としている。
なお実施の形態の説明ではＨＤＤ３１を記録媒体とするが、もちろん記録再生装置１において記録媒体とされる記録メディアはＨＤＤに限られず、例えば光ディスク、光磁気ディスク等のメディア、機器内蔵の半導体メモリ、可搬型の半導体メモリ（メモリカード等）など、各種のものが考えられる。
【００１７】
記録再生装置１は、通信ネットワーク１１０を介してコンテンツサーバ９１と通信可能とされ、これによって音楽等のコンテンツデータのダウンロードが可能とされる。もちろんコンテンツサーバ９１は複数存在し、記録再生装置１のユーザーは多様なデータダウンロードサービスを任意に利用できるものである。
コンテンツサーバ９１から記録再生装置１にダウンロードされるコンテンツデータとしては、例えばＳＤＭＩ準拠のコンテンツデータである。
【００１８】
ネットワーク１１０を形成する伝送路は、有線又は無線の公衆回線網とされてもよいし、記録再生装置１とコンテンツサーバ９１の専用回線としてもよい。具体的にはネットワーク１１０としては、例えばインターネット、衛星通信網、光ファイバー網、その他各種の通信回線が適用できる。
【００１９】
また、記録再生装置１には、内蔵或いは外付けのディスクドライブを備え、ＣＤ、ＭＤ、ＤＶＤなどのパッケージメディア９０（以下、ディスク９０ともいう）から再生された音楽等のコンテンツデータをＨＤＤ３１に蓄積させることもできる。
【００２０】
記録再生装置１には、二次記録媒体側機器としての記録再生装置２０を接続し、この記録再生装置（二次記録媒体側機器）２０に対して、ＨＤＤ３１に蓄積したコンテンツデータを転送可能とされる。記録再生装置２０は、二次記録媒体に対する記録及び再生が可能な装置とされる。そして記録再生装置１から転送されてきたコンテンツデータを二次記録媒体にコピー記録できるものとされる。
また、記録再生装置１自体にＣＤ、ＭＤ、ＤＶＤ、メモリカードなどに対する記録ドライブ装置部を備える場合、ＨＤＤ３１に蓄積したコンテンツデータをこれらのメディアに転送しコピーすることが可能とされる。
【００２１】
二次記録媒体側機器としての記録再生装置２０の具体例としては、各種考えられるが、例えば携帯型記録再生装置などとされる。
そして、ＨＤＤ３１を一次記録媒体として考えた場合、ＨＤＤ３１に格納した音楽コンテンツを記録再生装置２０において二次記録媒体にコピー（チェックアウト）することで、ユーザーは記録再生装置１をホームサーバとして使用し、例えば携帯型記録再生機である記録再生装置２０を用いて、音楽コンテンツを再生させることができる。
【００２２】
二次記録媒体側機器としての記録再生装置２０が記録再生するメディアは、ミニディスク、フラッシュメモリ等の半導体メモリを利用したメモリカードや、ＣＤ−Ｒ（ＣＤ　Ｒｅｃｏｒｄａｂｌｅ）、ＣＤ−ＲＷ（ＣＤ　Ｒｅｗｉｔａｂｌｅ）、ＤＶＤ−ＲＡＭ、ＤＶＤ−Ｒ、ＤＶＤ−ＲＷなどが考えられる。従って、記録再生装置２０としては、これらのメディアに対応する記録再生装置であればよい。
【００２３】
記録再生装置１と記録再生装置２０とは、例えばＵＳＢ（Ｕｎｉｖｅｒｓａｌ　Ｓｅｒｉａｌ　Ｂｕｓ）、ＩＥＥＥ１３９４などの伝送規格に基づく接続が行われる。もちろん他の伝送規格の有線伝送路、或いは無線伝送路によりコンテンツデータ等の転送が可能とされるものでもよい。
【００２４】
２．記録再生装置の構成
本例の記録再生装置１の構成を図２で説明する。
記録再生装置１は、内部に大容量のデータファイル蓄積部として、図示するＨＤＤ（ハードディスクドライブ）３１を備えるとともに、パッケージメディアについてのドライブ機能部として、ＣＤ（Ｃｏｍｐａｃｔ　Ｄｉｓｃ）やＤＶＤ（Ｄｉｇｉｔａｌ　Ｖｅｒｓａｔｉｌｅ　Ｄｉｓｃ）に対応するＣＤ／ＤＶＤドライブ２９、ＭＤ（Ｍｉｎｉ　Ｄｉｓｃ：光磁気ディスク）に対応するＭＤドライブ３６を備えている。
【００２５】
そして、この記録再生装置１では、例えばＣＤ、ＤＶＤ、或いはＭＤから再生された音楽コンテンツを、コンテンツファイルとしてＨＤＤ３１に取り込む、所謂リッピングを行うことができるものとされている。
なお、本例では音楽コンテンツを例に挙げるが、映像コンテンツ、テキストデータ、アプリケーションプログラム、ゲームソフトウエアなど、多様なコンテンツに対応可能とすることもできる。
また、備えられるドライブ装置としては、図示するＣＤ／ＤＶＤドライブ２９、ＭＤドライブ３６の他に、磁気ディスク、半導体メモリカード等の各種のメディアに対応するドライブ装置が構成されてもよい。
【００２６】
また記録再生装置１では、ＨＤＤ３１に格納したトラックファイル（例えば音楽等を１トラック単位で１つのファイルとして格納している）については、ユーザーが任意に再生させることなどが可能となる。従って、例えば多数のＣＤを有するユーザーが、全ＣＤの全楽曲をそれぞれ１つのトラックファイルとして記録再生装置１内に格納しておけば、わざわざＣＤ等を選び出して装填しなくても、所望の楽曲等の再生を実行させることができる。
【００２７】
この記録再生装置１は、ユーザーの家庭でのオーディオ機器としての使用に適するように、いわゆるラジカセ型の機器とされることが考えられる。もちろんコンポーネントタイプでもよい。
そして記録再生装置１には、ユーザーが各種操作を行うための各種の操作キーや操作つまみ、ジョグダイヤルと呼ばれる回動プッシュ式のキーなどが、機器前面パネルなどに設けられている。
またユーザーに対する出力部位として、再生音声等を出力するスピーカや、各種情報を表示出力する表示部が設けられる。
また、ユーザーが所有するＣＤを挿入するためのＣＤ挿入部、及びＭＤを挿入するためのＭＤ挿入部も設けられる。
【００２８】
図２において、ＣＰＵ２１は、起動されたプログラムに基づいて記録再生装置１の全体の制御、演算処理を行う。例えばユーザーに対する入出力動作、ＣＤ／ＤＶＤの再生やリッピング、コンテンツサーバ９１との通信動作、コンテンツダウンロード、ＨＤＤ３１へのトラックファイルの格納や管理情報の作成・更新等の制御処理を行う。
なお、このＣＰＵ２１は、図示するバス２２を介して各回路部との間で制御信号やデータのやりとりを行う。
【００２９】
メモリ部２３はＣＰＵ２１が処理に用いるＲＡＭ、ＲＯＭ、フラッシュメモリなどを包括的に示している。
メモリ部２３におけるＲＯＭには、ＣＰＵ２１の動作プログラム、プログラムローダー等が記憶される。
メモリ部２３におけるフラッシュメモリには、各種演算係数、プログラムで用いるパラメータ等が記憶される。
特に本実施の形態の場合、このＲＯＭ内には、上記ＣＰＵ２１が後述する図３に示す処理動作を行うためのプログラムも格納されている。
また、メモリ部２３におけるＲＡＭには、プログラムを実行する上でのデータ領域、タスク領域が一時的に確保される。
【００３０】
入力部２５は、記録再生装置１の筐体に設けられた操作キーやジョグダイヤル、タッチパネル、リモートコマンダー、その他の入力デバイスであって、記録再生装置１のユーザーが各種操作入力やデータ入力を行う。キーボードやマウスが入力部２５として設けられてもよい。
入力部２５で入力された情報は入力処理部２４で所定の処理が施され、ＣＰＵ２１に対して操作又はデータの入力として伝達される。ＣＰＵ２１は入力された情報に対応して必要な演算や制御を行う。
【００３１】
表示部２７は、例えば液晶パネルなどの表示デバイスとされ、ユーザーに対して各種情報表示を行う。
ＣＰＵ２１が各種動作状態や入力状態、通信状態に応じて表示情報を表示処理部２６に供給すると、表示処理部２６は供給された表示データに基づいて表示部２７に表示動作を実行させる。
例えばＣＤ、ＤＶＤ、ＭＤの再生時、或いはＨＤＤ３１に格納されたコンテンツの再生時には、トラックナンバー、演奏時間、動作状態、音量状態などが表示される。また再生するコンテンツに対応してタイトル情報が格納されていれば曲名、アーティスト名等の各種情報を表示することもできる。
【００３２】
ＣＤ／ＤＶＤドライブ２９は、光学ヘッド、スピンドルモータ、再生信号処理部、サーボ回路等を備え、装填されたＣＤ或いはＤＶＤに対する再生動作を行う。ＣＤ／ＤＶＤドライブ制御部２８は、ＣＤ／ＤＶＤドライブ２９におけるＣＤ又はＤＶＤに対する再生動作、アクセス動作等を制御する。例えばユーザーが入力部２５からＣＤ再生操作を行った場合は、ＣＰＵ２１はＣＤ／ＤＶＤドライブ制御部２８にＣＤ再生を指示する。するとＣＤドライブ制御部２８は、ＣＤ／ＤＶＤドライブ２９に対して再生／アクセスを実行させる制御を行う。
ＣＤ／ＤＶＤドライブ２９では、ＣＤやＤＶＤから読み出した信号に対してデコードを行い、再生データをＣＤ／ＤＶＤドライブ制御部２８を介してバス２２に送出する。
ＣＤ／ＤＶＤドライブ２９では、ＣＤやＤＶＤに対して高速読出動作を実行させることも可能とされる。例えば通常再生を１倍速とすると、２倍速、４倍速、８倍速などの高速読出が可能である。後述するＨＤＤ３１へのリッピングの際などに高速読出が実行される。
【００３３】
なお、公知のようにＣＤではその最内周側にＴＯＣ（Ｔａｂｌｅ　Ｏｆ　Ｃｏｎｔｅｎｔｓ）と呼ばれる管理情報が記録されており、ＣＤ再生時にはＴＯＣに基づいてディスク上のトラック（コンテンツ）のアクセスを行う。ＤＶＤも同様に管理情報に基づいてアクセスが行われる。従ってＣＤ／ＤＶＤドライブ制御部２８は、ＣＤ／ＤＶＤが装填された際にはＣＤ／ＤＶＤドライブ２９に管理情報読出を指示し、読み出された管理情報を得ることで、再生制御が可能となる。
【００３４】
ＭＤドライブ３６は、光学ヘッド、スピンドルモータ、再生信号処理部、サーボ回路等を備え、装填されたＭＤに対する再生動作を行う。ＭＤドライブ制御部３７は、ＭＤドライブ３６におけるＭＤに対する再生動作、アクセス動作等を制御する。この場合もＣＰＵ２１は、例えばユーザーにより入力部２５を介したＭＤ再生操作が行われたときは、ＭＤドライブ制御部３７にＭＤ再生を指示する。そして、これに応じＭＤドライブ制御部３７は、ＭＤドライブ３６に対して再生／アクセスを実行させる制御を行う。
ＭＤドライブ３６では、ＭＤから読み出した信号に対してデコードを行い、再生データをＭＤドライブ制御部３７を介してバス２２に送出する。
なお、この場合も上記したＣＤ／ＤＶＤドライブ制御部２８と同様、ＭＤドライブ制御部３７は、ＭＤが装填された際にはＭＤドライブ３６にＴＯＣ読出を指示し、読み出された管理情報（ＴＯＣデータ）を得ることでＭＤの再生制御が可能となる。
【００３５】
ＡＴＲＡＣエンコード／デコード部３８は、ＣＰＵ２１の制御に基づき、バス２２を介して入力されてくるデータについて、ＡＴＲＡＣ（Ａｄａｐｔｉｖｅ　ＴＲａｎｓｆｏｒｍＡｃｏｕｓｔｉｃ　Ｃｏｄｉｎｇ）圧縮方式（例えばＡＴＲＡＣ１、ＡＴＲＡＣ３等）によるエンコード／デコード処理を行う。そして、このようにしてエンコード／デコード処理を施したデータを、ＣＰＵ２１の制御に基づいた所要の部位に対して出力するようにされる。
【００３６】
通信処理部３２は、ＣＰＵ２１の制御に基づいて送信データのエンコード処理、受信データのデコード処理を行う。
ネットワークインターフェイス３３は、通信処理部３２でエンコードされた送信データをネットワークを介して所定の外部機器に送信する。またネットワークを介して上記サーバ等の外部機器から送信されてきた信号を通信処理部３４に受け渡す。通信処理部３４は受信した情報をＣＰＵ２１に転送したり、受信したダウンロードコンテンツをバス２２に送出する。
【００３７】
オーディオデータ処理部３４は、例えば音声処理ＤＳＰにより構成され、バス２２を介して入力されたデジタルオーディオデータに対して各種加工処理を行う。例えば音質調整加工としてイコライジング処理、リバーブ処理、エコー処理、ノイズ付加処理等が可能とされる。さらに音量を調整する処理も可能である。
これらの音質／音量調整は、ユーザーの入力部２５の操作に基づいて設定されたパラメータに従って行われる。パラメータとは、例えばイコライジング処理における帯域毎のレベル、リバーブ処理における残響時間や残響レベル（或いはリバーブ種類）、エコー処理における反響音リピート回数やレベル（或いはエコー種類）、ノイズ処理におけるノイズ音声種類やレベルなどである。
【００３８】
オーディオ出力処理部３９は、バス２２を介して入力されたデジタルオーディオデータに対してＤ／Ａ変換、増幅等の処理を施し、スピーカ部３５から出力させる。
【００３９】
データベース管理部３０は、ＣＰＵ２１の制御に基づき、ＨＤＤ３１に対してコンテンツファイルや、コンテンツファイルを管理するための管理情報の書込・読出アクセス動作を実行する。
例えばＣＤ／ＤＶＤドライブ２９で再生された１トラック単位のコンテンツを、１つのファイル（１つの音楽コンテンツ）としてＨＤＤ３１に蓄積するとともに、管理情報を書込／更新する。また通信処理部３２から転送されたダウンロードコンテンツをＨＤＤ３１に蓄積するとともに、管理情報を書込／更新する。
このデータベース管理部３０は、ＣＰＵ２１の指示に応じて、所定のトラックファイルを読み出してオーディオ出力処理部３４に転送し、スピーカ部３５から音声出力させることもできる。
またデータベース管理部３０は、ＨＤＤ３１に格納された音楽コンテンツのチェックイン／チェックアウト管理を行う。
なお、もちろんＨＤＤ３１は、このようにトラックファイルのデータベースとして用いられるだけでなく、ＣＰＵ２１で起動されるアプリケーションプログラムや各種データ等の格納領域として利用されてもよい。
【００４０】
外部インターフェース４０は、例えばＵＳＢ、ＩＥＥＥ１３９４などの通信方式による周辺機器とのインターフェイスとされる。
例えば図１に示した二次記録媒体側機器としての記録再生装置２０とは、この外部インターフェース４０により接続され、データ転送が可能とされる。
なお、他の規格の有線インターフェースや、赤外線や電波を用いた無線インターフェースであってもよい。
【００４１】
このような記録再生装置１によっては、例えば次のような記録、再生、通信動作が実行可能とされる。
【００４２】
・ＣＤ、ＤＶＤ、ＭＤとしてのディスクメディア９０から再生されたデジタルデータを、ＨＤＤ３１に記録することができる。この際、ＨＤＤ３１に記録するデジタルデータに関しては、オーディオデータ処理部３４で音質／音量調整として加工したり、ＡＴＲＡＣエンコード／デコード部３８でＡＴＲＡＣ圧縮処理を施すことができる。
【００４３】
・ネットワーク１１０を介してコンテンツサーバ９１からダウンロードしたデジタルデータを、ＨＤＤ３１に記録することができる。この際、ＨＤＤ３１に記録するデジタルデータに関しては、オーディオデータ処理部３４で音質／音量調整として加工したり、ＡＴＲＡＣエンコード／デコード部３８でＡＴＲＡＣ圧縮処理を施すことができる。
【００４４】
・ＣＤ、ＤＶＤ、ＭＤとしてのディスクメディア９０、或いはＨＤＤ３１から再生されたデジタルオーディオデータ（音楽コンテンツ）は、オーディオ出力処理部３９から再生出力することができる。この際、再生出力するデジタルオーディオデータがＡＴＲＡＣ圧縮データである場合は、ＡＴＲＡＣエンコード／デコード部３８でＡＴＲＡＣ圧縮処理に対するデコード（伸長処理）を行う。また再生出力するデジタルオーディオデータについて、オーディオデータ処理部３４で音質／音量調整として加工することができる。
【００４５】
・ＨＤＤ３１に格納されたデジタルオーディオデータ（音楽コンテンツ）を、外部インターフェース４０により接続された外部機器（例えば記録再生装置２０）に送信出力できる。即ち外部機器側のメディア（ＭＤ、メモリカード等）を二次記録媒体とするチェックアウトである。またチェックイン処理も行われる。
・ＨＤＤ３１に格納されたデジタルオーディオデータ（音楽コンテンツ）を、ＭＤドライブ３６に転送し、ＭＤに記録できる。これもＭＤドライブ３６に装填されたＭＤを二次記録媒体とするチェックアウト動作となる。またＭＤからのチェックイン処理も行われる。
【００４６】
なお、記録再生装置１の構成は、この図１の構成に限られるものではなく、更に多様に考えられる。
例えばマイクロホンや外部のヘッドホンの接続に用いられる端子や、ＤＶＤ再生時に対応するビデオ出力端子、ライン接続端子、光デジタル接続端子等が設けられてもよい。
またＰＣＭＣＩＡスロット、メモリカードスロットなどが形成され、外部の情報処理装置やオーディオ機器とデータのやりとりが可能とされてもよい。
さらにメモリカードスロットが設けられる場合、メモリカードを二次記録媒体として上記のようにチェックアウト・チェックインが行われるようにもできる。
【００４７】
３．記録時の処理
本例の記録再生装置１では、上記のようにＣＤ等の可搬性のディスクメディア９０から読み出したデジタルオーディオデータ（音楽コンテンツ）をＨＤＤ３１に格納できる。
またコンテンツサーバ９１からダウンロードしたデジタルオーディオデータ（音楽コンテンツ）をＨＤＤ３１に格納できる。
そしてＨＤＤ３１をホームサーバとして利用できることは前述したとおりである。
【００４８】
本例では、リッピング或いはダウンロード時において、音楽コンテンツをＨＤＤ３１に記録する際には、図３（ａ）（ｂ）に示すような処理が行われる。
【００４９】
なお、このような処理は入力されるデジタルデータを圧縮データの状態で記録媒体に記録する要求の発生に応じてＣＰＵ２１の制御に基づいて実行される。
ここで当該要求とは、ユーザー操作、通信、或いはＣＰＵ２１の自動判別に基づく要求である。
例えばユーザーは、ＣＤ等からのリッピングを行いたい場合は、入力部２５により所定の操作を行う。ＣＰＵ２１は、ユーザーのリッピング操作を上記要求と判別し、図３の制御を行う。
また、ＣＰＵ２１は、装填されたＣＤ等に記録されているコンテンツデータを、ユーザーによるリッピング操作が行われなくとも自動的にＨＤＤ３１に取り込む、所謂バックグラウンドリッピングを行うこともできる。その場合、例えばＣＤ装填等を検出した時点で、ＣＰＵ２１は、上記要求発生と判別し、図３の制御を行う。
或いはコンテンツサーバ９１からのダウンロード時には、コンテンツサーバ９１からのダウンロード開始通知を、ＣＰＵ２１は上記要求と判別し、図３の制御を行う。
【００５０】
図３（ａ）は、非圧縮データについてＨＤＤ３１への格納要求があった場合である。
非圧縮データとは、例えばＣＤから再生されるリニアＰＣＭフォーマットのデータである。従って例えばＣＤからのリッピングの際には図３（ａ）の処理が行われる。
【００５１】
この場合、非圧縮データ入力処理（Ｓ１）とは、ＣＤ／ＤＶＤドライブ２９による再生動作となる。即ちＣＰＵ２１は、ＣＤ／ＤＶＤドライブ制御部２８に指示してＣＤ／ＤＶＤドライブ２９による再生動作（例えば高速再生）を実行させ、再生データとして非圧縮データを得る。
ＣＰＵ２１は、ＣＤ等の再生によってバス２２に送出された再生データ（非圧縮データ）について、オーディオデータ処理部３４に転送させ、データ加工（Ｓ２）を実行させる。即ちユーザーが入力したパラメータに従ってイコライジング等の音質処理又は音量処理を実行させる。
なお、イコライジング等の加工処理のパラメータは、ユーザーが予め当該ＣＤ等を再生させて再生音を聞きながら好みの音質となるように設定しておき、その設定値をオーディオデータ処理部３４で保持しておくようにすればよい。
【００５２】
ＣＰＵ２１は、オーディオデータ処理部３４で加工され、バス２２に送出された加工データについては、ＡＴＲＡＣエンコード／デコード部３８に転送させ、ＡＴＲＡＣ３圧縮処理（Ｓ３）を実行させる。
そしてＣＰＵ２１は、ＡＴＲＡＣエンコード／デコード部３８で圧縮処理されてバス２２に送出された圧縮データについて、データベース管理部３０に転送させ、ＨＤＤ３１への記録処理（Ｓ４）を実行させる。
【００５３】
図３（ｂ）は、圧縮データについてＨＤＤ３１への格納要求があった場合である。
圧縮データとは、例えばＡＴＲＡＣ３等の圧縮処理されたデータである。例えばコンテンツサーバ９１は、ＡＴＲＡＣ３圧縮データとしてダウンロードデータを送信してくる。従って例えばコンテンツサーバ９１からのダウンロードの際には図３（ｂ）の処理が行われる。なお、ＭＤではＡＴＲＡＣ１／ＡＴＲＡＣ３の圧縮データによる音楽コンテンツが記録されているため、ＭＤから再生される音楽コンテンツについてのＨＤＤへの記録が行われるような際も、この図３（ｂ）のようになる。
【００５４】
図３（ｂ）の場合、圧縮データ入力処理（Ｓ１１）とは、ネットワークインターフェース３３，通信処理部３２を介したダウンロードデータの入力動作となる。即ちＣＰＵ２１は、通信処理部３２によりコンテンツサーバ９１との通信を実行させ、ダウンロードデータとして圧縮データを得る。
ＣＰＵ２１は、通信処理部３２の受信処理によってバス２２に送出されたダウンロードデータ（圧縮データ）について、ＡＴＲＡＣエンコード／デコード部３８に転送させ、ＡＴＲＡＣ３圧縮に対するデコード（伸長）処理（Ｓ１２）を実行させる。これにより例えばリニアＰＣＭデータとしての非圧縮データにデコードさせる。
またＣＰＵ２１は、ＡＴＲＡＣエンコード／デコード部３８で伸長処理されてバス２２に送出された非圧縮データについて、オーディオデータ処理部３４に転送させ、データ加工（Ｓ１３）を実行させる。即ちユーザーが入力したパラメータに従ってイコライジング等の音質処理又は音量処理を実行させる。
またＣＰＵ２１は、オーディオデータ処理部３４で加工され、バス２２に送出された加工データについて、再びＡＴＲＡＣエンコード／デコード部３８に転送させ、ＡＴＲＡＣ３圧縮処理（Ｓ１４）を実行させる。
そしてＣＰＵ２１は、ＡＴＲＡＣエンコード／デコード部３８で圧縮処理されてバス２２に送出された圧縮データについて、データベース管理部３０に転送させ、ＨＤＤ３１への記録処理（Ｓ１５）を実行させる。
【００５５】
以上の図３（ａ）又は図３（ｂ）の処理により、入力された非圧縮データ、及び圧縮データについて、音量／音声についての加工処理を行った上で、圧縮データの状態でＨＤＤ３１に格納する処理が実現される。
【００５６】
ところで図３（ｂ）の処理においては、圧縮データが入力された場合は、一旦非圧縮データにデコードしたうえでデータ加工を行い、再び圧縮エンコードしてＨＤＤ３１に記録するようにした。このような処理に代えて、図３（ｃ）に示すように、入力された圧縮データを直接データ加工してもよい。
即ちＣＰＵ２１は、ＡＴＲＡＣ３圧縮データとして入力された音楽コンテンツデータを（Ｓ２１）、オーディオデータ処理部３４に転送させ、データ加工（Ｓ２２）を実行させる。
そしてＣＰＵ２１は、オーディオデータ処理部３４で加工され、バス２２に送出された加工データについて、データベース管理部３０に転送させ、ＨＤＤ３１への記録処理（Ｓ１５）を実行させる。
このような処理によれば、ＨＤＤ３１への記録の際に圧縮デコード及び圧縮エンコードが不要となる。
【００５７】
この場合、ＡＴＲＡＣ３圧縮データについてのデータ加工（Ｓ２２）、例えばイコライジングは図４のような処理で行われる。
まずステップＦ１０１で、圧縮データの符号列分解処理を行う。
次にステップＦ１０２でトーン成分を復号する処理を行い、スケールファクタの位置を求める。スケールファクタとは、帯域毎のレベル情報である。
そしてステップＦ１０３では、ユーザーが設定したイコライジングパラメータに応じて、スケールファクタを増減する処理を行う。
ステップＦ１０４では、変化させたスケールファクタを用いた符号列生成処理を行う。
この図４のような処理で、ＡＴＲＡＣ３圧縮データを直接イコライジング処理することが可能となる。
【００５８】
本例の記録再生装置１では、以上の図３（ａ）、図３（ｂ）（又は図３（ｃ））の処理によって、入力されるデジタルデータ、例えばＣＤ等の可搬性記録媒体からリッピングされたデジタルデータや、外部サーバ等との通信によりダウンロードされたデジタルデータは、音量／音質的な加工が施された上で圧縮データ状態でＨＤＤ３１に格納される。
従って、ユーザーは好みの音質状態としてイコライジング処理、リバーブ処理、エコー処理、ノイズ付加処理等を指示しておけば、好みの音質状態で音楽コンテンツがＨＤＤに格納される。また音量加工を指示しておくことで、例えば多数のＣＤ等からリッピングした音楽コンテンツの音量バランスを好適に保つようにできる。
これによって、ＨＤＤ３１から読み出される音楽コンテンツは、記録再生装置１において再生される場合であっても、また記録再生装置１又は２０に装填された二次記録媒体にチェックアウトされて再生される場合であっても、記録時の加工処理に応じたユーザー好みの音量／音質状態で再生されることになる。
これは、記録再生装置１や記録再生装置２０における再生時に、ユーザーがわざわざ音質調整操作等を行わなくてもユーザーの好みの音質で音楽が再生されることを意味する。
【００５９】
また記録再生装置１又は２０により音楽コンテンツをコピー記録（チェックアウト）した二次記録媒体を、その記録再生装置２０、或いは他の再生装置で再生しても同様である。
さらには、それらの記録再生装置２０や他の再生装置においては携帯用装置である場合も考えられ、携帯用装置などの場合、十分な音質・音響効果処理を行う機能を備えていないものも多いが、既に音質等がユーザーの好みの状態に加工された音楽コンテンツが二次記録媒体にコピーされるため、そのような再生装置でもユーザーの好みの状態の音楽再生が実現されることになる。
さらに、音量調整がされていれば、例えばＣＤ毎の音量レベルのバラツキといったこともＨＤＤ３１上では解消でき、ＨＤＤ３１に格納された任意の複数の音楽コンテンツを再生させたりチェックアウトさせた場合でも、音量バランスが整った状態で各曲を再生できる。
【００６０】
以上、実施の形態としての例を説明してきたが、本発明は上記例に限定されるものではない。
記録再生装置１の構成や、一次記録媒体をＨＤＤ３１とすることなどについては多様に変形例が考えられる。
圧縮処理についてはＡＴＲＡＣ方式を例に挙げたが、ＭＰＥＧ方式など他の圧縮方式が用いられてもよい。またダウンロードデータとして入力される圧縮データとしてもＡＴＲＡＣ方式のデータに限られるものではない。
【００６１】
本発明のプログラムは、上述した記録再生装置の記録動作時の処理を実現させるプログラムである。
さらに、そのような本発明のプログラムが記録された本発明のプログラム記録媒体によれば、プログラムの提供が容易となり、本発明を広く提供できる。例えば記録装置の設計に好適となる。
【００６２】
本発明のプログラムは、記録装置に内蔵されている記録媒体としてのＨＤＤ３１や、メモリ部２３内のＲＯＭ等に予め記録しておくことができる。
あるいはまた、フレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＭＯ（Ｍａｇｎｅｔ　ｏｐｔｉｃａｌ）ディスク、ＤＶＤ（Ｄｉｇｉｔａｌ　Ｖｅｒｓａｔｉｌｅ　Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。
また本発明のプログラムは、リムーバブル記録媒体からインストールする他、ダウンロードサイトから、ＬＡＮ（Ｌｏｃａｌ　Ａｒｅａ　Ｎｅｔｗｏｒｋ）、インターネットなどのネットワークを介してダウンロードすることもできる。
【００６３】
【発明の効果】
以上の説明からわかるように本発明によれば、記録装置の記録媒体（例えばＨＤＤ）には、入力されるデジタルデータ、例えばＣＤ等の可搬性記録媒体からリッピングされたデジタルデータや、外部サーバ等との通信によりダウンロードされたデジタルデータは、音量／音質的な加工が施された上で圧縮データ状態で格納される。例えばユーザーは好みの音質状態としてイコライジング処理、リバーブ処理、エコー処理、ノイズ付加処理等を指示しておけば、好みの音質状態で音楽コンテンツがＨＤＤに格納される。また音量加工を指示しておくことで、例えば多数のＣＤ等からリッピングした音楽コンテンツの音量バランスを好適に保つようにできる。
従ってＨＤＤ等の記録媒体から読み出される音楽コンテンツ等のデジタルデータは、そのまま記録装置において再生される場合であっても、或いは二次記録媒体にコピーされて携帯型プレーヤ等で再生される場合であっても、記録時の加工処理に応じたユーザー好みの音量／音質状態で再生される。つまり再生機器においてユーザーが再生時にわざわざ音質調整操作等を行わなくても、または再生機器において高度な音質調整機能が設けられていなくても、ユーザーは好みの音質状態で音楽コンテンツを楽しむことができるという効果がある。或いは適切な音量バランスで音楽コンテンツを聞くことができる。
【００６４】
また加工処理されたデータは圧縮データ状態で記録媒体（ＨＤＤ）に格納されることは、記録媒体の容量消費を抑えることに好適である。例えば１つの音楽コンテンツについて多様な加工状態でそれぞれ格納しておきたい場合なども考えられるため、圧縮データとされて記録されることが都合がよい。
【００６５】
また本発明のプログラムによれば、上記効果を奏する記録装置を実現でき、本発明のプログラム記録媒体によれば、上記の効果を実現する記録装置の実現及び広範な提供に適している。
【図面の簡単な説明】
【図１】本発明の実施の形態のシステム構成のブロック図である。
【図２】実施の形態の記録再生装置のブロック図である。
【図３】実施の形態の記録時の処理の説明図である。
【図４】実施の形態の圧縮データに対する加工処理のフローチャートである。
【符号の説明】
１　記録再生装置、２１　ＣＰＵ、２９　ＣＤドライブ、３１　ＨＤＤ（一次記録媒体）、３２　通信処理部、３４　オーディオデータ処理部、４０　外部インターフェース、２０　二次記録媒体側機器（記録再生装置）
【図１】
2004046959.tif 000003
【図２】
2004046959.tif 000004
【図３】
2004046959.tif 000005
【図４】
2004046959.tif 000006